(57)【要約】【課題】本考案の玩具はかなりの程度まで所有者の代りにペットと遊んで交流し、特にペットを飼養する高齢者に適合し、高齢者がペットをあやすために過度の精力を消耗することを回避できる。【解決手段】外形可変リモートペット用玩具は、移動可能な台座、着脱可能に取付けられた台座上の動物模型及び外部制御端末を含み、前記台座の下部にはローラーが設けられ、台座内にはモーター、制御回路、マイクロ制御ユニット、無線通信モジュール及び発声装置が設けられ、前記モーターは駆動してローラーを回動させ、前記制御回路はマイクロ制御ユニットの発信する制御信号によりモーターの回動を制御し、前記無線通信モジュールは外部制御端末と通信し、前記発声装置は無線通信モジュールを経て受け取った所有者の声音又は録音をリアルタイムに再生することに用いられる。【選択図】図１
0003203859.tif 000002
【実用新案登録請求の範囲】
【請求項１】
移動可能な台座（１）、着脱可能に取付けられた台座上の動物模型及び外部制御端末を含み、
前記台座の下部にはローラーが設けられ、台座内にはモーター、制御回路、マイクロ制御ユニット、無線通信モジュール及び発声装置が設けられ、前記モーターは駆動してローラーを回動させ、前記制御回路はマイクロ制御ユニットの発信する制御信号によりモーターの回動を制御し、前記無線通信モジュールは外部制御端末と通信し、前記発声装置は無線通信モジュールを経て受け取った所有者の声音又は録音をリアルタイムに再生することに用いられることを特徴とする外形可変リモートペット用玩具。
【請求項２】
前記動物模型の頭部には外部の制御端末と通信できる無線カメラが設けられていることを特徴とする請求項１に記載の外形可変リモートペット用玩具。
【請求項３】
前記無線カメラは、着脱可能に取付けられた動物模型の頭部であることを特徴とする請求項２に記載の外形可変リモートペット用玩具。
【請求項４】
前記台座の上部には垂直に上に突出する取付柱が設けられ、前記動物模型の下部には取付柱に対応する凹部が設けられ、前記動物模型が、凹部と取付柱との嵌合により台座に固定されていることを特徴とする請求項１に記載の外形可変リモートペット用玩具。
【請求項５】
前記台座には下に向かって開くことができる電池取付ケースが設けられていることを特徴とする請求項１に記載の外形可変リモートペット用玩具。
【請求項６】
前記無線通信モジュールの通信方式が、ＷｉＦｉ（登録商標）通信又はブルートゥース（登録商標）通信であることを特徴とする請求項１に記載の外形可変リモートペット用玩具。
【請求項７】
前記外部制御端末は移動可能制御端末であることを特徴とする請求項１に記載の外形可変リモートペット用玩具。
【請求項８】
前記移動可能制御端末は、スマートフォン又はタブレットＰＣであることを特徴とする請求項７に記載の外形可変リモートペット用玩具。
【考案の詳細な説明】
【技術分野】
【０００１】
本考案はペット用玩具に関し、特に外形可変リモートペット用玩具に関する。
【背景技術】
【０００２】
ペットの飼養は、現在の社会では非常に一般的で普通の事であり、人々の慰めのとても重要な手段となっている。人とペットとの間には既に重要な関係が構築され、このような関係の親密度が、時には人情、友情、愛情を超越する場合があり、それは、両者の関係がとても単純であるがとても奥深いことに因る。ペットは我々人類の伴侶の動物であり、私たち人類が幸福で健康な生活を獲得する一つの源であり、ペットの飼養は、人々の生活をより健康で、より充実させることができる。特に一部の一人暮らしの孤独な高齢者に対して、ペットの飼養は彼らの身心の健康に有益で、ペットと相互に交流することにより高齢者の生活をより充実させる。
【０００３】
しかしながら、大部分のペットは性質が比較的活発で、遊び走ることが好きで、高齢者にとって精力がついて行かず、大部分の時間をペット自身が玩具と遊ばざるを得ない。然し、多くの玩具はペット自身により主導的に動かされ弄られるため、ペットを引きつけて長期に遊ばせるすべがなく、所有者との間にも交流が不足する。
【考案の概要】
【考案が解決しようとする課題】
【０００４】
本考案の目的は、前記問題に対して、スマートフォン又はタブレットＰＣによりペット用玩具の走行を遠隔制御でき、且つ撮影及び発声機能を兼ね備える外形可変リモートペット用玩具を提供することにある。
【課題を解決するための手段】
【０００５】
本考案の目的は以下のように実現される。
【０００６】
外形可変リモートペット用玩具は、移動可能な台座、着脱可能に取付けられた台座上の動物模型及び外部制御端末を含み、
前記台座の下部にローラーが設けられ、台座内にはモーター、制御回路、マイクロ制御ユニット、無線通信モジュール及び発声装置が設けられ、前記モーターは駆動してローラーを回動させ、前記制御回路はマイクロ制御ユニットの発信する制御信号によりモーターの回動を制御し、前記無線通信モジュールは外部制御端末と通信し、前記発声装置は無線通信モジュール経て受け取った所有者の声音又は録音をリアルタイムに再生することに用いられることを特徴とする。
【０００７】
好ましくは、前記動物模型の頭部には外部の制御端末と通信できる無線カメラが設けられている。
【０００８】
好ましくは、前記無線カメラは、着脱可能に取付けられた動物模型の頭部である。
【０００９】
好ましくは、前記台座の上部には垂直に上に突出する取付柱が設けられ、前記動物模型の下部に取付柱に対応する凹部が設けられ、前記動物模型が、凹部と取付柱との嵌合により台座に固定されている。
【００１０】
好ましくは、前記台座には下に向かって開くことができる電池取付ケースが設けられている。
【００１１】
好ましくは、前記無線通信モジュールの通信方式が、ＷｉＦｉ（登録商標）通信又はブルートゥース（登録商標）通信である。
【００１２】
好ましくは、前記外部制御端末は移動可能制御端末である。
【００１３】
好ましくは、前記移動可能制御端末はスマートフォン又はタブレットＰＣである。
【考案の効果】
【００１４】
本考案の有益な効果は、使用者は、スマートフォン又はタブレットＰＣによりペット用玩具の走行を簡単に遠隔制御することにより、ペットを遊びに引き付け、且つカメラによりペットが玩具と遊ぶ状況を観察でき、更にペットを引き付けられるように発声装置によりペットに指令を発したり又は録音を再生する。
【図面の簡単な説明】
【００１５】
【図１】本考案の概略図である。
【図２】台座と動物模型の取付図である。
【図３】本考案の動物模型を取り替えた後の概略図である。
【考案を実施するための形態】
【００１６】
以下、具体的な実施例及び図面を参照して、本考案について詳細に説明する。
【００１７】
図１の示すように、外形可変リモートペット用玩具は、移動可能な台座１、台座１上に着脱可能に取付けられる動物模型２及び外部制御端末３を含む。
【００１８】
台座１の下部にローラー１１が設けられ、台座１内にはモーター、制御回路、マイクロ制御ユニット、無線通信モジュール及び発声装置がそれぞれ設けられる。モーターは駆動してローラー１１を回動させ、制御回路はマイクロ制御ユニットの発信する制御信号によりモーターの回動を制御し、無線通信モジュールは外部制御端末３と通信し、発声装置は無線通信モジュール経て受け取った所有者の声音又は録音をリアルタイムに再生することに用いられる。その中で、無線通信モジュールの通信方式はＷｉＦｉ通信又はブルートゥース通信を選定し、外部制御端末３は移動可能制御端末であり、通常、スマートフォン又はタブレットＰＣを使用しても良い。
【００１９】
動物模型２の頭部に外部の制御端末と通信できる無線カメラが設けられ、該無線カメラは着脱可能に取付けられた動物模型２の頭部である。
【００２０】
図２の示すように、台座１の上部に垂直に上に突出する取付柱１２が設けられ、動物模型２の下部には取付柱１２に対応する凹部２１が設けられる。動物模型２が凹部２１及び取付柱１２との嵌合により台座１に固定されている。
【００２１】
使用時には、動物模型を台座に取り付け、スマートフォン又はタブレットＰＣにより該玩具の走行を制御することで、ペットが玩具を追跡するように引き付ける。カメラはペットと玩具の相互作用の過程を撮影でき、且つ無線通信モジュールによって撮影した映像を所有者のスマートフォン又はタブレットＰＣのスクリーンに表示する。これにより所有者がリアルタイムにペットが遊ぶ状況を観察でき、且つ所有者がスマートフォン又はタブレットＰＣと話しをすることができ、この話しを無線通信により玩具に発信し、更に発声装置によって再生する。このことによって、動物との間に相互交流が進められ、玩具の面白みを増強させる。
【００２２】
このペットが一つのペット模型に興趣を失くした後には、ペット模型を取り替えて、図３の示すように、再度ペットの注意力を引き付ける。
【００２３】
本考案の玩具はかなりの程度まで所有者の代りにペットと遊んで交流し、特にペットを飼養する高齢者に適合し、高齢者がペットをあやすために過度の精力を消耗することを回避できる。
【符号の説明】
【００２４】
１  台座
２  動物模型
３  外部制御端末
１１  ローラー
１２  取付柱
２１  凹部
【図１】
0003203859.tif 000003
【図２】
0003203859.tif 000004
【図３】
0003203859.tif 000005